(57)【要約】【課題】データを送信する送信装置における送信設定の登録を容易にする。【解決手段】データを送信する送信装置とデータを受信する受信装置とがネットワークを介して接続されているデータ送受信システムに接続可能な送信装置は、受信装置への送信を指示するために表示され操作されるキーを備え当該受信装置の宛先情報が前記キーに登録される操作手段と、前記操作手段の前記キーに登録可能であって少なくとも前記キーに表示される画像データを含む宛先情報または宛先情報の格納先情報を前記受信装置から受信する受信手段と、前記送信装置または前記格納先情報で表される格納先から当該受信装置の宛先情報を受信したとき、前記キーに、受信した前記宛先情報を登録する登録手段とを備える。【選択図】図２
2008029032.tif 000002
【特許請求の範囲】
【請求項１】
データを送信する送信装置とデータを受信する受信装置とがネットワークを介して接続されているデータ送受信システムに接続可能な送信装置において、
受信装置への送信を指示するために表示され操作されるキーを備え当該受信装置の宛先情報が前記キーに登録される操作手段と、
前記操作手段の前記キーに登録可能であって少なくとも前記キーに表示される画像データを含む宛先情報の格納先情報を前記受信装置から受信する受信手段と、
前記格納先情報で表される格納先から当該受信装置の宛先情報を受信したとき、前記キーに、受信した前記宛先情報を登録する登録手段と
を備える送信装置。
【請求項２】
前記登録手段は、ユーザの登録指示に基づいて前記宛先情報を登録することを特徴とする請求項１に記載された送信装置。
【請求項３】
さらに、受信した前記宛先情報を登録するか否かを選択する選択手段を備え、前記登録手段は、選択された宛先情報を登録することを特徴とする請求項１に記載された送信装置。
【請求項４】
前記操作手段は、前記受信手段によって受信した前記宛先情報に含まれる画像データを前記キーに表示することを特徴とする請求項１から３のいずれかに記載された送信装置。
【請求項５】
さらに、前記受信手段によって受信した前記格納先情報に基づいて前記宛先情報の格納先にアクセスして前記宛先情報を取得する取得手段を備えることを特徴とする請求項１から４のいずれかに記載された送信装置。
【請求項６】
前記宛先情報が宛先を示す名称を含んでおり、前記登録手段は当該名称を前記キーに登録することを特徴とする請求項１に記載された送信装置。
【請求項７】
前記宛先情報が送信条件を含んでおり、前記登録手段は当該送信条件を前記キーに登録することを特徴とする請求項１に記載された送信装置。
【請求項８】
前記宛先情報がデータ形式を含んでおり、前記登録手段は当該データ形式を前記キーに登録することを特徴とする請求項１に記載された送信装置。
【請求項９】
前記登録手段は１つのキーに複数の前記宛先情報を登録可能であることを特徴とする請求項１に記載された送信装置。
【請求項１０】
前記キーの操作に応じて当該キーに登録されている前記宛先情報に従って画像データを送信することを特徴とする請求項７〜９のいずれかに記載された送信装置。
【請求項１１】
前記キーに登録された宛先情報の詳細情報の表示を選択する手段を有することを特徴とする請求項４に記載された送信装置。
【請求項１２】
前記受信した宛先情報と前記キーに予め登録されている宛先情報を比較し、異なっていれば受信した宛先情報を登録することを特徴とする請求項１に記載された送信装置。
【請求項１３】
前記キーに登録された宛先情報に複数の通信モードが選択されている場合にいずれかの通信モードを選択する手段を有することを特徴とする請求項１に記載された送信装置。
【発明の詳細な説明】
【技術分野】
【０００１】
本発明は、ネットワークにおけるデータの送受信に関する。
【背景技術】
【０００２】
ＬＡＮなどのネットワークに接続された装置の間では、文書、写真などの各種データが送受信される。データ送信は、種々の通信方法で行われる。たとえばファクシミリ送信として画像データを送信できる。また、電子メールにファイルを添付することにより各種ファイルを送信できる。データを送信する際には、送信元の操作者は、送信方法を選択し、電話番号、電子メールアドレスなどにより送信先（宛先）を指定してデータを送る。
【０００３】
データ送信の際に宛先の設定を容易にするために、送信設定に対応させた短縮ダイヤル、ワンタッチキーなどを設けることが知られている。短縮ダイヤル、ワンタッチキーなどには宛先や送信条件などの宛先情報が登録でき、送信者が短縮ダイヤル、ワンタッチキーなどを選択するだけで、選択された短縮ダイヤル、ワンタッチキーなどに登録された送信設定を用いて送信が実行される。（以下では短縮ダイヤル、ワンタッチキーなどを単にワンタッチキーという。）ワンタッチキーへの登録を容易に行うために、送信履歴を基に宛先情報（宛先、送信条件など）を登録することは知られている。たとえば、特開平６−２２５０３５号公報に記載されたファクシミリ装置では、相手先の応答信号から、相手先の電話番号と識別情報を抽出して、ワンタッチキーに対応付けてメモリに登録する。また、特開平７−２８３９２３号公報に記載されたファクシミリ装置では、データ送信が正常に終了したと判定すると、送信先の電話番号を短縮ダイヤルに登録する。
【０００４】
ワンタッチキーを用いるデータの送信では、複数のワンタッチキーを備える場合、ワンタッチキーを選択する際に、ワンタッチキーに表示された文字情報を元に送信設定を識別する。しかし、表示領域の制限で識別が容易には行えない場合がある。その場合、当該ワンタッチキーについての詳細情報を表示させて送信先を再度確認する必要があった。そこで、宛先を表すアイコン（画像）をワンタッチキーに表示して、視覚的に送信先の識別を容易にすることが提案されている。たとえば、特開２００１−２５６１２４号公報に記載されたファクシミリ装置では、ワンタッチキーにアイコンを指定し、相手先情報を格納するデータベースに登録しておく。送信の際には、ワンタッチキーをアイコンで表示して、操作者による送信先の宛先の指定を容易にする。操作者がアイコンを選択すると、そのアイコンに登録された宛先を指定して送信を行う。また、特開平２００２−２９０６４３号公報に記載されたファクシミリ装置では、アイコンの編集やアイコンの外部装置からの取得を可能にしている。
【特許文献１】特開平６−２２５０３５号公報
【特許文献２】特開平７−２８３９２３号公報
【特許文献３】特開２００１−２５６１２４号公報
【特許文献４】特開２００２−２９０６４３号公報
【発明の開示】
【発明が解決しようとする課題】
【０００５】
上述のように、アイコンを表示することにより、操作者はワンタッチキーの識別を容易に行える。この場合、アイコンは、送信元の装置にて、登録する宛先の数だけ作成する必要があり、アイコン作成の手間や装置外部に蓄積されているコンテンツからの選択・ダウンロード・操作の手間がかかり、操作が煩わしかった。したがって、送信元での送信設定（アイコンを含む）を容易にすることが望ましい。
【０００６】
本発明の目的は、ワンタッチキーなどの予め宛先情報が登録されたキーを用いるデータ送信において、キーへの登録を容易に行えるようにすることである。
【課題を解決するための手段】
【０００７】
本発明に係る送信装置は、データを送信する送信装置とデータを受信する受信装置とがネットワークを介して接続されているデータ送受信システムに接続可能な送信装置において、受信装置への送信を指示するために表示され操作されるキーを備え当該受信装置の宛先情報が前記キーに登録される操作手段と、前記操作手段の前記キーに登録可能であって少なくとも前記キーに表示される画像データを含む宛先情報の格納先情報を前記受信装置から受信する受信手段と、前記格納先情報で表される格納先から当該受信装置の宛先情報を受信したとき、前記キーに、受信した前記宛先情報を登録する登録手段とを備える。
【０００８】
前記送信装置において、好ましくは、前記登録手段は、ユーザの登録指示に基づいて前記宛先情報を登録する。また、前記送信装置は、好ましくは、さらに、受信した前記宛先情報を登録するか否かを選択する選択手段を備え、前記登録手段は、選択された宛先情報を登録する。また、前記送信装置において、好ましくは、前記操作手段は、前記受信手段によって受信した前記宛先情報に含まれる画像データを前記キーに表示する。また、前記送信装置は、好ましくは、さらに、前記受信手段によって受信した前記格納先情報に基づいて前記宛先情報の格納先にアクセスして前記宛先情報を取得する取得手段を備える。
【発明の効果】
【０００９】
受信装置が宛先情報（画像データを含む）を送信装置に送信するので、送信装置の操作手段での、視覚的に宛先を識別可能なキーへの宛先情報の登録が容易になる。一度相手先に送信することで、送信装置は、それ以降のその相手先への送信を、キーに登録された画像データの選択を行うだけで行える。これにより操作者の利便性を向上できる。
【発明を実施するための最良の形態】
【００１０】
以下、添付の図面を参照して発明の実施の形態を説明する。
図１は、ネットワークに接続されネットワークを介してデータの送受信を行う種々の装置を示す。たとえば、ＬＡＮなどのネットワーク１０には、複合機（ＭＦＰ）１２、１４、パーソナルコンピュータ（ＰＣ）１６、携帯電話１８、画像データサーバ装置２０などが接続される。複合機１２，１４は、読取機能、印刷機能、複写機能、ファクシリミリ通信機能などの多くの機能を備える。たとえば、読取機能を用いて文書などの画像データを読み取る。読み取った画像データは、複合機内部の格納手段であるハードディスクに記憶するか、ネットワーク１０を介して他の機器（たとえば画像データサーバ装置２０）に送信する。ＰＣ１６は、ネットワーク１０を介して他の機器１２、１４、１８，２０とデータの送受信をする。携帯電話１８は、無線通信端末であり、無線によりネットワーク１０を介して他の機器１２〜１６、２０とデータの送受信をする。画像データサーバ装置２０は、画像データを蓄積するサーバであり、ネットワーク１０を介して他の機器１２〜１８と画像データの送受信をする。また、デジタルカメラ、ビデオカメラ、デジタル電話などの画像データ入力装置２２は、画像データを生成し、他の装置に入力する。この画像データは、複合機１２などに取り込まれる。上述のデータ送受信は、電子メール、ファクシミリ通信などの種々の形態で行える。なお、画像データサーバ装置２０の代わりに、一般の文書ファイルを管理するファイルサーバ装置などを設けてもよい。
【００１１】
図１に示すシステムにおいて、たとえば、複合機１２は、ネットワーク１０を介して他の機器（たとえば複合機１４）に画像データを送信する。送信先である複合機１４は、その画像データを受け取る。そして、送信元である複合機１２に送信完了通知を返信する（図２参照）。ここで、後で詳細に説明するように、送信完了通知とともに、送信先である複合機１４の宛先情報も送信元に返信する。なお、いうまでもなく、複合機１２，１４の間の通信のほかでもデータの送受信が可能であるが、以下では、複合機１２を送信元の発信装置とし複合機１４を送信先の受信装置とする電子メールによるデータ送受信の場合について説明する。
【００１２】
次に、データ送信における宛先情報の設定について説明する。データ送信においては、データ送信先を示す宛先（電子メールアドレス、ファクシミリ番号などを含む）を含む送信条件を設定しなければならない。この宛先設定を容易にするため、複合機１２，１４に設けられるタッチパネルの画面に複数のワンタッチキーを表示する。ワンタッチキーは、宛先を含む送信条件などの宛先情報が登録されているキーであり、画面では、ワンタッチキーをアイコンで表す。操作者が、複合機のハードディスク内に蓄積されている文書その他のデータから、送信しようとするデータを指定した後、ワンタッチキー（アイコン）を選択する操作のみで、自動的にそのアイコンに対応する宛先を含む送信条件が設定され、そのデータの送信が開始される。もちろん、送信する画像データは、ハードディスク内に蓄積されているデータのほか、複合機の読取装置（図示しない）に原稿をセットして、これを読み取って得られる画像データでもよいことはいうまでもない。
【００１３】
送信元が送信履歴を元にワンタッチキーに宛先情報を登録することは従来から知られているが、ここでは、画像データの送信後に、送信先から送信完了通知とともに受信した宛先情報をワンタッチキーに登録する。具体的には、送信先では、送信元に、送信データが正常に受信できたこと（すなわち送信完了）を通知するとともに、宛先情報も返信する。送信元では、この宛先情報を受信すると、ワンタッチキーのデータベースに登録する。次回以降の送信では、送信先から返信されてきたアイコンがワンタッチキーに表示される。したがって、送信元でワンタッチキー用のアイコン（画像）を用意しなくてもよい。
【００１４】
図３は、送信装置である複合機１２におけるデータ送受信に関する機能についてのブロック図である。全体の装置を制御する全体制御部３０には、ネットワーク１０を介して通信を行う通信制御部３２、操作部・表示部として動作するタッチパネル３４、宛先メモリ３６およびワンタッチキーデータメモリ３８が接続されている。宛先メモリ３６には、送信先の名称、送信先アドレス宛先情報、送信方法などを格納する。また、ワンタッチキーデータメモリ３８には、ワンタッチキーに登録されるデータを記憶する。このデータは、ワンタッチキーを特定するワンタッチキー番号、送信先を表すアイコンの画像データおよび各種送信条件を含む。宛先メモリ３６およびワンタッチキーデータメモリ３８は、たとえば、複合機内のハードディスク内に設けられる。また、図示しないが、画像入力装置２０からの画像を入力するインタフェースも設けられる。
【００１５】
図４は、受信装置である複合機１４におけるデータ送受信に関する機能についてのブロック図である。図３と同様なものについては説明を省略する。宛先情報メモリ４０には、送信元から送信されてきたデータが正常送信完了したときに、送信元に対して送信完了通知と共に送信するアイコン画像データや、次回以降に使用してほしい送信条件などの宛先情報が格納されている。宛先情報送信履歴メモリ４２は、宛先情報を送信した履歴を記憶するメモリである。宛先情報メモリ４０と、宛先情報送信履歴メモリ４２は、たとえば、複合機内のハードディスク内に設けられる。なお、複合機１２、１４は、周知の通り、読取機能、印刷機能、複写機能、ファクシリミリ通信機能などのための、画像読取部、画像印刷部、ファクシミリ装置部などを備えるが、それらについての図示と説明を省略する。
【００１６】
いま複合機１２が送信装置として動作し、複合機１４が受信装置として動作する場合を説明する。送信装置である複合機１２において、操作者は、送信する画像データに対して、タッチパネル３４で、宛先情報を設定する。タッチパネル３４で送信が指示されると、通信制御部３２は、ネットワーク１０を介して画像データを送信先に送る。送信先から、送信完了通知とともに、宛先情報（アイコンを含む）を受信すると、全体制御部３０は、その宛先情報を１つのワンタッチキーに割り当てて、ワンタッチキーデータメモリ３８に格納する。次回以降の送信では、全体制御部３０は、ワンタッチキーデータメモリ３８を参照して、タッチパネル３４に、送信先を示す画像データ（アイコン）を表示する（図６参照）。したがって、そのアイコンを選択することにより、送信先が設定した宛先情報で画像データが送信される。
【００１７】
一方、受信装置である複合機１４において、通信制御部３２は、ネットワーク１０を介して上述の画像データを受信する。全体制御部３０は、画像データの受信が正常に完了したと判断すると、送信完了通知とともに、宛先情報（アイコンを含む）も返信する。
【００１８】
宛先情報には、宛先の名称、宛先のアドレス、宛先を表すアイコン、データ送信方法のほか、データ形式などの送信条件も含める。アイコンを選択することにより、送信先が指定した送信条件で送信を行えるが、この送信条件は宛先情報に含まれている。これについてさらに説明すると、送信元の装置で、ワンタッチキーに登録されている送信条件を設定してデータを送信する場合、送信元では、送信先の受信装置の受信状態を把握できない。このため、設定した送信条件が送信先の装置にとっては適当でないことがある。そこで、送信先の都合を優先して、送信先から受信した送信方法や送信条件を設定する。これにより、送信先に適した送信条件を含む宛先情報が設定できる。たとえばpdf形式の画像ファイルを送信するように設定しているが、送信先の装置にとってpdf形式では処理の負担が大きいことがある。したがって、送信条件の登録において送信先の状態を反映できることが望ましい。そこで、送信元に送る宛先情報には、送信条件も含めるようにする。たとえば、pdf形式の画像データが送られてきたが、pdf形式の処理が複合機１４にとって負担が大きい場合は、ＴＩＦＦなどの他のデータ形式を送信条件に含める。
【００１９】
図５は、送信元（たとえば複合機１２）と送信先（たとえば複合機１４）の全体制御部によるデータ送受信（宛先登録を含む）のフローチャートである。送信元はネットワークを介して送信先にデータを送信する（Ｓ１０）。送信先は、そのデータを受信し、正常に受信したかどうかの判断を行う（Ｓ１２）。送信先は、正常に送信完了したと判断すると、受信完了通知ならびに宛先情報メモリ４０から読み出した送信先の宛先情報（アイコンを含む）を送信元に返信する（Ｓ１４）。ここで、宛先情報送信履歴メモリ４２に、宛先情報を送信した履歴を記憶しておく。送信元は、その宛先情報の登録が妥当であると判断すると（Ｓ１６）、受信した宛先情報を宛先メモリ３６に登録する（Ｓ１８）。なお、妥当でない場合は、修正して登録する。
【００２０】
図６は、送信先の複合機１４での宛先情報選択を説明するための画面を示す。複合機１４のタッチパネル３４には、図６の上側に示すように、データを正常に受信した後で、宛先情報を返信するか否かを選択するためのダイアログボックスが表示される。ここで、送信元に宛先情報を返信しますかとの質問に対して「はい」キーを選択した場合、図６の下側に示すように、宛先選択のための画面が表示される。この例では１０個の宛先が登録可能であるが、２つの宛先（アイコンを含む）が登録されている。操作者がいずれかのアイコンを選択し、「送信」キーを押下すると、複合機１４は、送信完了通知とともに、選択された宛先情報を、送信元の複合機１２に返信する。なお、ここでは、手動で選択する場合を説明したが、予め送信元に送信する宛先を指定しておいて、自動的に送信してもよい。
【００２１】
図７は、送信元の複合機１２における相手先からの宛先情報の登録を説明するための図である。送信先から返信されてくる送信完了通知と宛先情報の受信があると、図７の上側に示すように、複合機１２のタッチパネル３４において、その通知と宛先情報登録のためのダイアログボックスが示される。ここで、宛先情報の登録を行うか否かを選択する。ここで、データの登録をしますかとの質問に対して操作者が「はい」キーを選択した場合は、図７の下側に示すワンタッチキーを表示した画面が表示される。ワンタッチキーは１０個まで登録できる。ここで、操作者が、登録したい箇所を選択すると、次に、図８に示す画面が表示される。ここで、受信した宛先情報（アイコンのプレビュー画像を含む）が表示される。操作者が、宛先情報の内容を確認して、「登録」キーを押下すると、選択された箇所のワンタッチキーにその宛先情報が登録され、その箇所に、宛先情報に含まれるアイコンが表示される。なお、操作者は、受信した宛先情報を変更することもできる。ここで、予め指定してあるワンタッチキーに自動的に宛先情報を登録してもよい。
【００２２】
図９において、上側に、送信元の複合機１２のタッチパネル３４における、データ送信の際に宛先を選択するためのワンタッチキー選択画面を示す。この画面には、１０個のワンタッチキーが登録可能であり、４つのキーに登録されている宛先がアイコンで示されている。送信時にいずれかのアイコンを選択し、「ＯＫ」キーを押下することにより、そのアイコンに登録した宛先を設定できる。ここで、アイコンを指定して「詳細表示」キーを押すことにより、図９の下側に示すような詳細表示画面が表示され、そのアイコンに登録されている宛先情報が詳細に表示される。この詳細表示画面では、宛先の名称、宛先のアドレスだけでなく、送信方法およびファイルのカラー属性、ファイルのフォーマットおよび解像度などの送信条件が表示される。この画面の例では、宛先の名称、電子メールで送信すること、また、その電子メールアドレスや送信する画像データの条件がわかる。
【００２３】
また、変形例では、送信の際に宛先情報を直接入力するときに、送信先に宛先情報を返信することを要求する。図１０に示すように、操作者が宛先情報を入力すると、タッチパネル３４に、送信先からの宛先情報の送信要求を行うか否かを選択するためのダイアログボックスが示される。操作者が「はい」キーを選択すると、送信のための画面が表示される。その画面に表示されている入力データでよければ、操作者が「送信」キーを押す。このとき、画像データとともに、宛先情報送信要求が送信される。宛先情報送信が要求されないときは、送信先は宛先情報を返信しない。
【００２４】
図１１は、宛先情報送信要求があったときに宛先情報を送信し登録する、送信元（たとえば複合機１２）と送信先（たとえば複合機１４）の全体制御部によるフローチャートである。送信元１２において、操作者が送信先の宛先情報を入力して、画像データを送信先１４に送信する（Ｓ１０）。送信先１４は、正常に受信したかどうかの判断を行う（Ｓ１２）。正常に受信が完了した場合で（Ｓ１２でＹＥＳ）、かつ、送信元より宛先情報送信要求がされている場合（Ｓ１３でＹＥＳ）、送信先１４は、正常受信通知ならびに送信先の宛先情報を宛先情報メモリ４０から読み出して送信元に送信する（Ｓ１４）。送信元１２は、その宛先情報の登録が妥当であると判断すると（Ｓ１６）、受信した宛先情報の登録を行う（Ｓ１８）。なお、操作者は、妥当でないと判断すると、登録の際に、受信した宛先情報を変更できる。
【００２５】
送信先の複合機１４では、宛先情報メモリ４０に、予め宛先情報が登録されている。図１２は、宛先情報メモリ４０への宛先情報の登録のフローチャートである。この登録処理は、画像データごとに個別におこなう。先ず、アイコンの画像データを登録する（Ｓ３０）。次に、宛先情報の各設定項目の設定を行う（Ｓ３２）。そして、宛先情報メモリ４０に宛先情報の登録を行う（Ｓ３４）。図１３は、宛先情報の登録をするための設定画面を示す。この画面において必要な項目を入力し、「登録」キーを押すことにより、宛先情報の登録を行う。既に登録済みの宛先情報を選択してそのまま登録することも可能である。次に、他の宛先情報を登録する必要があれば（Ｓ３６でＹＥＳ）、ステップＳ３２に戻り、追加して登録をすることができる。
【００２６】
図１４は、受信装置において送信先の宛先情報が変更されたときのフローチャートである。送信先の宛先情報が変更になったときは、宛先情報を差し替える。送信先の装置は、まず、宛先情報が変更になったかどうかを判断する（Ｓ５０）。変更になったと判断する場合は、次に、変更になった宛先情報を送信するかどうかを判断する（Ｓ５２）。具体的には、宛先情報送信履歴メモリ４２より、過去に正常に受信が完了して送信完了通知と共に宛先情報を送信した履歴があるかどうかを判断する。過去に送信した履歴があった場合は、その送信先に対して、変更になった宛先情報を送信する（Ｓ５４）。送信元の装置では、送信された宛先情報を、宛先メモリ３６およびワンタッチキーメモリ３８に保持している宛先情報と差し替えるかどうかを判断して（Ｓ５６）、返信内容が保持データと異なっていれば、宛先情報の差し替えを行う（Ｓ５８）。
【００２７】
図１５は、受信装置において通信モードの登録をするフローチャートである。１つのワンタッチキーに複数の送信モード（たとえば送信ルート）が設定できる。これにより、回線の種別に応じて通信モードを切り替える。通信モードは、たとえば、装置の初期モード設定などで設定できる。まず、操作者が画像データ通信のための、画像データ、宛先の名称などの各設定項目の設定を行うと（Ｓ１００）、その通信モードの登録を行う（Ｓ１０２）。次に、他の通信モードを登録するか否かを判断する（Ｓ１０４）。他の通信モードでも送受信可能な環境であれば、ステップＳ１０２に戻って、他の通信モードの追加設定を行う。こうして１以上の通信モードを設定した後で、宛先情報の登録を行う（Ｓ１０６）。これにより、１以上の通信モードが１つのワンタッチキーに登録できる。
【００２８】
また、ワンタッチキーには複数の宛先情報を登録でき、同時に複数の宛先に送信できる。図１６は、送信元の装置における送信時の通信モードの選択のフローチャートである。まず、操作者は宛先情報の選択を行う（Ｓ１２０）。次に、選択した宛先情報に通信モードが複数登録されている場合であって（Ｓ１２２でＹＥＳ）、いずれかの通信モードを選択するならば（Ｓ１２４）、選択された通信モードを登録し（Ｓ１２６）、ステップＳ１２８に進む。通信モードが１つだけ登録されている場合、また、複数の通信モードをすべて選択する場合は、ただちに、ステップＳ１２８に進む。そして、選択された通信モードで送信を行う（Ｓ１２８）。
【００２９】
変形例では、画像データサーバ装置２０に格納する画像に宛先情報も登録しておく。図１７に示すように、送信元の複合機１２は、宛先情報を入力して、画像データをネットワーク１０を介して他の機器（たとえば複合機１４）に送信する。複合機１４は、その画像データを受け取る。そして、送信完了通知と宛先情報の格納先情報であるアドレスとを送信する。複合機１２は、この返信を受け取ると、画像データサーバ装置２０内の画像データベースにおいて、通知されたアドレスにアクセスする。画像データサーバ装置２０は、指定されたアドレスのデータを複合機１２に送信する。これにより、複合機１２は、画像データサーバ装置２０から複合機１４の宛先情報を取得する。なお、画像データサーバ装置２０として、たとえば、一般的なファイルサーバ装置を用いる。
【００３０】
図１８は、画像データサーバ装置２０の構成を示す。全体を制御するＣＰＵ５０には、ネットワーク１０を介して通信を行う通信制御部５２、キーボードなどの入力手段５４、ディスプレイ装置５６、アイコン画像データベースを格納する記憶装置５８が接続されている。アイコン画像データベースには、送信先から受け取った宛先情報も格納する。この宛先情報の登録は、図６のフローチャートと同様である。
【００３１】
図１９は、送信元（たとえば複合機１２）、送信先（たとえば複合機１４）の全体制御部と画像データサーバ装置２０のＣＰＵによるデータ送受信（宛先登録を含む）のフローチャートである。送信元はネットワークを介して送信先にデータを送信する（Ｓ２００）。送信先は、そのデータを受信し、正常に受信したかどうかの判断を行う（Ｓ２０２）。送信先は、正常に送信完了したと判断すると、正常受信通知ならびに送信先の宛先情報のアドレスを送信元に送信する（Ｓ２０４）。送信元が、通知された前記アドレス（画像データサーバ装置２０）にアクセスすると（Ｓ２０６）、画像データサーバ装置２０は、送信先の宛先情報を送信する（Ｓ２０８）。そして、その宛先情報の登録が妥当であると判断すると（Ｓ２１０）、受信した宛先情報の登録を行う（Ｓ２１２）。なお、妥当でない場合は、修正して登録する。
【００３２】
なお、この画像データサーバ装置では、アイコンの画像データとともに宛先情報を記憶していたが、宛先をアイコンの画像データとは別に格納しておき、その格納位置を表すアドレスを返信するようにしてもよい。送信元は、そのアドレスにアクセスして宛先情報を取得する。
【図面の簡単な説明】
【００３３】
【図１】データ送受信をするネットワークの図
【図２】送信元と送信先とのデータ送受信を説明するための図
【図３】複合機におけるデータ送信に関する機能についてのブロック図
【図４】複合機におけるデータ受信に関する機能についてのブロック図
【図５】データ送受信（宛先登録を含む）のフローチャート
【図６】宛先情報選択画面の図
【図７】送信完了通知と宛先情報登録のための画面の図
【図８】宛先情報の詳細な内容を示す画面の図
【図９】ワンタッチキー選択画面の図
【図１０】宛先情報の送信要求を行うか否かを選択するための画面の図
【図１１】宛先情報送信要求があったときに宛先情報を送信し登録するフローチャート
【図１２】画像データサーバ装置における画像データ登録のフローチャート
【図１３】宛先情報の登録のための画面の図
【図１４】送信元の宛先情報が変更されたときのフローチャート
【図１５】通信モードの登録のフローチャート
【図１６】送信時の通信モードの選択のフローチャート
【図１７】送信元、送信先及びサーバ装置とのデータ送受信を説明するための図
【図１８】画像データサーバ装置のブロック図
【図１９】データ送受信（宛先登録を含む）のフローチャート
【符号の説明】
【００３４】
１０  ネットワーク、    １２，１４  複合機（ＭＦＰ）、    １６  ＰＣ、    ２０  画像データサーバ装置、    ３０  全体制御部、    ３４  タッチパネル、    ３６  宛先メモリ、    ３８  ワンタッチキーデータメモリ、    ４０  宛先情報メモリ、    ４２  宛先情報送信履歴メモリ４２、    ５０  ＣＰＵ、    ５８  記憶装置。
【図１】
2008029032.tif 000003
【図２】
2008029032.tif 000004
【図３】
2008029032.tif 000005
【図４】
2008029032.tif 000006
【図５】
2008029032.tif 000007
【図６】
2008029032.tif 000008
【図７】
2008029032.tif 000009
【図８】
2008029032.tif 000010
【図９】
2008029032.tif 000011
【図１０】
2008029032.tif 000012
【図１１】
2008029032.tif 000013
【図１２】
2008029032.tif 000014
【図１３】
2008029032.tif 000015
【図１４】
2008029032.tif 000016
【図１５】
2008029032.tif 000017
【図１６】
2008029032.tif 000018
【図１７】
2008029032.tif 000019
【図１８】
2008029032.tif 000020
【図１９】
2008029032.tif 000021